【手続補正書】
【提出日】平成24年1月23日(2012.1.23)
【手続補正１】
【補正対象書類名】特許請求の範囲
【補正対象項目名】全文
【補正方法】変更
【補正の内容】
【特許請求の範囲】
【請求項１】
ホイートストンブリッジ回路を構成する４つの歪みゲージが各々において用いられるロードセルが複数用いられ、各ロードセルに対応した各ホイートストンブリッジ回路が並列に接続され、複数の前記ロードセルから単一の出力をする多点式秤用の検出回路を具備する、多点式秤の製造方法であって、
前記各ロードセルの出力特性が均一となるべく、前記各ロードセルに含まれる抵抗の調整を行って前記ロードセルの出力調整を行う個別調整工程と、
複数の前記ロードセル毎のホイートストンブリッジ回路における入力電圧が印加される１対のロードセル入力端子、及び複数の前記ロードセル毎のホイートストンブリッジ回路における各出力電圧が出力される１対のロードセル出力端子のうちの対応する端子同士を各々接続する接続工程と、
を具備し、
前記個別調整工程において、前記１対のロードセル出力端子のうちの一方に接続された２つの前記歪みゲージと直列に、同一抵抗値をもつ２つの出力調整用抵抗をそれぞれ挿入することにより、前記ロードセルの出力調整を行うことを特徴とする多点式秤の製造方法。
【請求項２】
ホイートストンブリッジ回路を構成する４つの歪みゲージが各々において用いられるロードセルが複数用いられ、各ロードセルに対応した各ホイートストンブリッジ回路が並列に接続され、複数の前記ロードセルから単一の出力をする多点式秤用の検出回路を具備する、多点式秤の製造方法であって、
前記各ロードセルの出力特性が均一となるべく、前記各ロードセルに含まれる抵抗の調整を行って前記ロードセルの出力調整を行う個別調整工程と、
複数の前記ロードセル毎のホイートストンブリッジ回路における入力電圧が印加される１対のロードセル入力端子、及び複数の前記ロードセル毎のホイートストンブリッジ回路における各出力電圧が出力される１対のロードセル出力端子のうちの対応する端子同士を各々接続する接続工程と、
を具備し、
前記個別調整工程において、
少なくとも一つのロードセルにおける前記１対のロードセル入力端子の一方と当該ロードセルのホイートストンブリッジ回路におけるブリッジ回路入力点との間にスパン調整用抵抗を設置することにより、前記ロードセルの出力調整を行うことを特徴とする多点式秤の製造方法。
【請求項３】
ホイートストンブリッジ回路を構成する４つの歪みゲージが各々において用いられるロードセルが複数用いられ、各ロードセルに対応した各ホイートストンブリッジ回路が並列に接続され、複数の前記ロードセルから単一の出力をする多点式秤用の検出回路を具備する、多点式秤の製造方法であって、
前記各ロードセルの出力特性が均一となるべく、前記各ロードセルに含まれる抵抗の調整を行って前記ロードセルの出力調整を行う個別調整工程と、
複数の前記ロードセル毎のホイートストンブリッジ回路における入力電圧が印加される１対のロードセル入力端子、及び複数の前記ロードセル毎のホイートストンブリッジ回路における各出力電圧が出力される１対のロードセル出力端子のうちの対応する端子同士を各々接続する接続工程と、
を具備し、
前記個別調整工程において、
前記１対のロードセル出力端子のうちの一方に接続された２つの前記歪みゲージと直列に、同一抵抗値をもつ２つの出力調整用抵抗をそれぞれ挿入すると共に、少なくとも一つのロードセルにおける前記１対のロードセル入力端子の一方と当該ロードセルのホイートストンブリッジ回路におけるブリッジ回路入力点との間にスパン調整用抵抗を設置することにより、前記ロードセルの出力調整を行うことを特徴とする多点式秤の製造方法。
【請求項４】
前記スパン調整用抵抗は半固定抵抗であることを特徴とする請求項２又は３に記載の多点式秤の製造方法。
【請求項５】
前記接続工程後に、
複数の前記ロードセルのうちの１個のロードセルにおいて、前記４つの歪みゲージのうちの一つの歪みゲージと直列に、前記各ロードセルを無負荷の状態として前記入力端子間に入力電圧を印加した際の前記出力端子間の出力電圧の前記各ロードセルの温度変化に際しての変動を補償する温度補償抵抗を挿入する温度補償工程を行う
ことを特徴とする請求項１から請求項４までのいずれか１項に記載の多点式秤の製造方法。
【請求項６】
前記接続工程後に、
複数の前記ロードセルのうちの１個のロードセルにおいて、前記４つの歪みゲージのうちの一つの歪みゲージと直列に、前記各ロードセルを無負荷の状態として前記入力端子間に入力電圧を印加した際の前記出力端子間の出力電圧の絶対値が最小となるべく零バランス調整用抵抗を挿入する零バランス再調整工程を行う
ことを特徴とする請求項１から請求項５までのいずれか１項に記載の多点式秤の製造方法。
【請求項７】
請求項１から請求項６までのいずれか１項に記載の多点式秤の製造方法によって製造されたことを特徴とする多点式秤。
【請求項８】
ホイートストンブリッジ回路を構成する４つの歪みゲージが各々において用いられるロードセルが複数用いられ、各ロードセルに対応した各ホイートストンブリッジ回路が並列に接続され、複数の前記ロードセルから単一の出力をする、多点式秤用の検出回路であって、
複数の前記ロードセルの各々は、前記ホイートストンブリッジ回路が並列接続されておらず独立とされた状態で、前記各ロードセルの出力特性が均一となるべく調整され、
複数の前記ホイートストンブリッジ回路が並列接続された状態において、
複数の前記ロードセルのうちの１個のロードセルにおいては、前記出力特性が均一となるべく調整された状態とされたホイートストンブリッジ回路に対して、更に調整用抵抗が挿入され、
複数の前記ロードセルのうちの他のロードセルは、前記出力特性が均一となるべく調整された状態とされた、
ことを特徴とする検出回路。
【請求項９】
前記調整用抵抗は、前記各ロードセルが無負荷の状態とされた際の前記単一の出力の温度変化に際しての変動を補償するように設定されたことを特徴とする請求項８に記載の検出回路。
【請求項１０】
前記調整用抵抗は、前記各ロードセルが無負荷の状態とされた際の前記単一の出力の出力電圧の絶対値が最小となるべく設定されたことを特徴とする請求項８又は９に記載の検出回路。
【手続補正２】
【補正対象書類名】明細書
【補正対象項目名】００１４
【補正方法】変更
【補正の内容】
【００１４】
本発明は、上記課題を解決すべく、以下に掲げる構成とした。
本発明の多点式秤の製造方法は、ホイートストンブリッジ回路を構成する４つの歪みゲージが各々において用いられるロードセルが複数用いられ、各ロードセルに対応した各ホイートストンブリッジ回路が並列に接続され、複数の前記ロードセルから単一の出力をする多点式秤用の検出回路を具備する、多点式秤の製造方法であって、前記各ロードセルの出力特性が均一となるべく、前記各ロードセルに含まれる抵抗の調整を行って前記ロードセルの出力調整を行う個別調整工程と、複数の前記ロードセル毎のホイートストンブリッジ回路における入力電圧が印加される１対のロードセル入力端子、及び複数の前記ロードセル毎のホイートストンブリッジ回路における各出力電圧が出力される１対のロードセル出力端子のうちの対応する端子同士を各々接続する接続工程と、を具備し、前記個別調整工程において、前記１対のロードセル出力端子のうちの一方に接続された２つの前記歪みゲージと直列に、同一抵抗値をもつ２つの出力調整用抵抗をそれぞれ挿入することにより、前記ロードセルの出力調整を行うことを特徴とする。
本発明の多点式秤の製造方法は、ホイートストンブリッジ回路を構成する４つの歪みゲージが各々において用いられるロードセルが複数用いられ、各ロードセルに対応した各ホイートストンブリッジ回路が並列に接続され、複数の前記ロードセルから単一の出力をする多点式秤用の検出回路を具備する、多点式秤の製造方法であって、前記各ロードセルの出力特性が均一となるべく、前記各ロードセルに含まれる抵抗の調整を行って前記ロードセルの出力調整を行う個別調整工程と、複数の前記ロードセル毎のホイートストンブリッジ回路における入力電圧が印加される１対のロードセル入力端子、及び複数の前記ロードセル毎のホイートストンブリッジ回路における各出力電圧が出力される１対のロードセル出力端子のうちの対応する端子同士を各々接続する接続工程と、を具備し、前記個別調整工程において、少なくとも一つのロードセルにおける前記１対のロードセル入力端子の一方と当該ロードセルのホイートストンブリッジ回路におけるブリッジ回路入力点との間にスパン調整用抵抗を設置することにより、前記ロードセルの出力調整を行うことを特徴とする。
本発明の多点式秤の製造方法は、ホイートストンブリッジ回路を構成する４つの歪みゲージが各々において用いられるロードセルが複数用いられ、各ロードセルに対応した各ホイートストンブリッジ回路が並列に接続され、複数の前記ロードセルから単一の出力をする多点式秤用の検出回路を具備する、多点式秤の製造方法であって、前記各ロードセルの出力特性が均一となるべく、前記各ロードセルに含まれる抵抗の調整を行って前記ロードセルの出力調整を行う個別調整工程と、複数の前記ロードセル毎のホイートストンブリッジ回路における入力電圧が印加される１対のロードセル入力端子、及び複数の前記ロードセル毎のホイートストンブリッジ回路における各出力電圧が出力される１対のロードセル出力端子のうちの対応する端子同士を各々接続する接続工程と、を具備し、前記個別調整工程において、前記１対のロードセル出力端子のうちの一方に接続された２つの前記歪みゲージと直列に、同一抵抗値をもつ２つの出力調整用抵抗をそれぞれ挿入すると共に、少なくとも一つのロードセルにおける前記１対のロードセル入力端子の一方と当該ロードセルのホイートストンブリッジ回路におけるブリッジ回路入力点との間にスパン調整用抵抗を設置することにより、前記ロードセルの出力調整を行うことを特徴とする。
本発明の多点式秤の製造方法において、前記スパン調整用抵抗は半固定抵抗であることを特徴とする。
本発明の多点式秤の製造方法は、前記接続工程後に、複数の前記ロードセルのうちの１個のロードセルにおいて、前記４つの歪みゲージのうちの一つの歪みゲージと直列に、前記各ロードセルを無負荷の状態として前記入力端子間に入力電圧を印加した際の前記出力端子間の出力電圧の前記各ロードセルの温度変化に際しての変動を補償する温度補償用抵抗を挿入する温度補償工程を行うことを特徴とする。
本発明の多点式秤の製造方法は、前記接続工程後に、複数の前記ロードセルのうちの１個のロードセルにおいて、前記４つの歪みゲージのうちの一つの歪みゲージと直列に、前記各ロードセルを無負荷の状態として前記入力端子間に入力電圧を印加した際の前記出力端子間の出力電圧の絶対値が最小となるべく零バランス調整用抵抗を挿入する零バランス再調整工程を行うことを特徴とする。
本発明の多点式秤は、前記多点式秤の製造方法によって製造されたことを特徴とする。
本発明の検出回路は、ホイートストンブリッジ回路を構成する４つの歪みゲージが各々において用いられるロードセルが複数用いられ、各ロードセルに対応した各ホイートストンブリッジ回路が並列に接続され、複数の前記ロードセルから単一の出力をする、多点式秤用の検出回路であって、複数の前記ロードセルの各々は、前記ホイートストンブリッジ回路が並列接続されておらず独立とされた状態で、前記各ロードセルの出力特性が均一となるべく調整され、複数の前記ホイートストンブリッジ回路が並列接続された状態において、複数の前記ロードセルのうちの１個のロードセルにおいては、前記出力特性が均一となるべく調整された状態とされたホイートストンブリッジ回路に対して、更に調整用抵抗が挿入され、複数の前記ロードセルのうちの他のロードセルは、前記出力特性が均一となるべく調整された状態とされた、ことを特徴とする。
本発明の検出回路において、前記調整用抵抗は、前記各ロードセルが無負荷の状態とされた際の前記単一の出力の温度変化に際しての変動を補償するように設定されたことを特徴とする。
本発明の検出回路において、前記調整用抵抗は、前記各ロードセルが無負荷の状態とされた際の前記単一の出力の出力電圧の絶対値が最小となるべく設定されたことを特徴とする。
【手続補正３】
【補正対象書類名】明細書
【補正対象項目名】００２２
【補正方法】変更
【補正の内容】
【００２２】
図２は、この製造方法を示すフローチャートである。ここで、個別調整工程（Ｓ１）は各ロードセル毎に行われ、接続工程（Ｓ２）においてロードセル同士が接続され、その後で温度補償工程（Ｓ３）、零バランス再調整工程（Ｓ４）が行われる。